(57)【要約】【課題】本発明は感光性ドライフィルムレジストから剥離したカバーフィルムをスムーズに巻取ることが出来、さらにロール状に巻取られたカバーフィルムの芯部から簡単な操作で抜取って再利用することが出来るカバーフィルム巻取り用の巻取ボビンに関するものである。【解決手段】感光性ドライフィルムレジスト１から剥離されたカバーフィルム１ｃを巻取る円筒状の巻取ボビン８であって、外周面に１条のらせん状切目線１０が設けられ構成された巻取ボビン８の構造である。【選択図】        図２
2004277059.tif 000002
【特許請求の範囲】
【請求項１】
感光性ドライフィルムレジストから剥離したカバーフィルムを巻取る際に使用される円筒状の巻取りボビンに於て、その外周面の軸方向に沿ってらせん状の切目線が設けて構成されることを特徴としたカバーフィルム巻取りボビン。
【請求項２】
前記巻取りボビンの外周面の軸方向に設けられるらせん状の切目線は１条でかつ０．５〜３回転の範囲で形成されていることを特徴とした請求項１のカバーフィルム巻取りボビン。
【発明の詳細な説明】
【０００１】
【発明の属する技術分野】
本発明は、感光性ドライフィルムレジストの感光性樹脂組成物を基板にラミネートする際に、剥離したカバーフィルムの巻き取りに使用するボビンに関するものである。ここで言う基板とは、プリント配線板に使用される銅張り積層板、リードフレーム用金属板、プラズマディスプレイ用ガラス板などが挙げられる。
【０００２】
【従来の技術】
従来、プリント配線基板等を製造するための感光性ドライフィルムレジストは、支持フィルムに感光性樹脂組成物の層が形成されると共に、該感光性樹脂組成物がカバーフィルムによって保護されており、支持フィルムが外周側に且つカバーフィルムが内周側になるようにして巻付コアに巻きつけられている。そして前記感光性樹脂組成物を基板にラミネートする際には、感光性ドライフィルムレジストを巻付コアから繰出してカバーフィルムを剥離させ、露出した感光性樹脂組成物を基板にラミネートし、同時に剥離したカバーフィルムを巻取コアに巻き取る方法が用いられている。
【０００３】
上記の如く、感光性ドライフィルムレジストの感光性樹脂組成物を基板にラミネートする際に、カバーフィルムの感光性樹脂組成物のみを確実に剥離させるため、カバーフィルムと感光性樹脂組成物の接着強度は、支持フィルムと感光性樹脂組成物との接着強度よりも小さいことが必須である。
【０００４】
このために、支持フィルムとしてはポリエチレンテレフタレート（ＰＥＴ）フィルムを使用するのが一般的であり、カバーフィルムとしては低密度ポリエチレン（ＬＤＰＥ）フィルムを使用するのが一般的である。このような支持フィルム、カバーフィルムを使用することによって、確実に且つ安定してカバーフィルムを感光性樹脂組成物から剥離させることが出来るように構成されている。
【０００５】
感光性ドライフィルムレジストから剥離したカバーフィルムを、巻取ボビンに巻き取る際に必要な力は、特別な駆動源を設けることなく感光性ドライフィルムレジストを繰り出す際の力を利用している。
【０００６】
即ち、感光性ドライフィルムレジストを巻き付けた巻付ボビン或いは巻付ボビンを支持する巻付軸を直接或いは間接的（例えば繰り出される感光性ドライフィルムレジストを介して）に駆動し得るように構成し、この巻付ボビン或いは巻付軸の上方に巻取ボビンを配置すると共に、該巻取ボビンを昇降可能に構成し、巻付ボビンに巻き付けられている感光性ドライフィルムレジストの外周面に、感光性ドライフィルムレジストから剥離したカバーフィルムを接触させることで、摩擦力を作用させ、この摩擦力によってカバーフィルムを巻取ボビンに巻き取らせている。このような駆動方式は、サーフェスドライブ方式と呼ばれている。
【０００７】
巻取ボビンに筒状に巻き取られたカバーフィルムは、巻取ボビンごと装置から取り外した後に、巻取ボビンのまま或いはカッターによりカバーフィルムを切断して巻取ボビンから除去した後で、廃棄物として処理されている。
【０００８】
【発明が解決しようとする課題】
上記の如く、巻取ボビンにカバーフィルムが巻かれたままの状態で廃棄される場合には、再利用可能な巻取ボビンはそのまま廃棄物となる欠点がある。一方でカッターによりカバーフィルムを巻取ボビンから切断除去する場合でも、よほど注意して切断しないと、巻取ボビンの表面に傷をつけてしまい再利用が不可能となる問題があった。また、カッターを用いて巻取ボビンからカバーフィルムを切断する場合には、作業者の安全上の問題が発生する恐れもあった。
【０００９】
これらの問題を解決するために、カバーフィルムの巻取り軸にエアーシャフトなどを用いて、直径が大きい状態でカバーフィルムを巻取り、カバーフィルムをエアーシャフトから除去する際には、エアーを抜いて直径を縮小して除去する手段が用いられていた。また、巻取ボビンの外表面の軸方向に直線状の切り込みを設け、カバーフィルムを取り外す際に巻取ボビンが縮小するようにした構造の巻取ボビンも使用されていた。
【００１０】
さらに、最近になって後述の特許文献１に示すような発明も開発されている。この技術は、ボビンの筒部の軸方向に沿って２分割するようにスリットを設け、ボビンに巻取られたフィルムを取出すに当って、スリット内に棒状の押出し具を挿通し、この押出し具をスリットに沿って摺動することによって、ボビンに巻取られたフィルムをボビンから抜き取るようにした発明である。
【００１１】
しかし、前述のエアーシャフトを使用する場合には、巻取り軸自体の重量が増し、前記のサーフェスドライブ方式では繰り出される感光性ドライフィルムレジストの張力が必要以上に高くなる可能性がある等の問題があった。またこの場合には、エアーシャフト自体の価格が著しく高価になる問題もあった。
【００１２】
さらに、後者の巻取ボビンの軸方向に直線状の切り込みを設けた場合、或は後記特許文献１に記載された発明の場合には、サーフェスドライブ方式で、巻取ボビンにカバーフィルムを巻取る際に、巻取ボビンの直線状の切り込み部が感光性ドライフィルムレジストに接触するので、回転が不均一となり、瞬間的に感光性ドライフィルムレジストの張力が上昇する現象が発生する問題があった。
【００１３】
このような必要以上の感光性ドライフィルムレジストの張力の上昇や、瞬間的な感光性ドライフィルムレジストの張力の上昇は、オートカットラミネーターのような感光性ドライフィルムレジストを真空吸着力によって搬送する装置の場合には、吸着部での感光性ドライフィルムレジストの滑りを発生させる可能性があり、仮付不良などの不具合を発生させることとなる等の問題があった。
【００１４】
本発明の目的は、感光性ドライフィルムレジストの感光性樹脂組成物を基板にラミネートするに際し、剥離したカバーフィルムを円滑に巻き取ることが出来る巻取ボビンを提供することと、特に、巻き取られたカバーフィルムが容易に除去できる全く新規な巻取ボビンを提供するものである。
【００１５】
【特許文献１】
特開平９−１２３５５５号公報
【００１６】
【課題を解決するための手段】
上記課題を解決するために本発明に係るカバーフィルムの巻取ボビンは、円筒表面にらせん状の切目線を設けて構成したものである。これにより、巻取ボビンの軸方向に若干の伸縮性を付与したものである。
【００１７】
軸方向に圧縮力をかけられた巻取ボビンは、らせん状の切断面ですべりを生じ、直径を増すことが出来る。逆に、軸方向に引張力をかけられた巻取ボビンは、同じくらせん状の切断面で圧縮時とは逆方向のすべりを生じてその直径を縮小することが出来る性質を有している。
【００１８】
上記カバーフィルムの巻取ボビンの使用に当っては、感光性ドライフィルムレジスト（以下「ＤＦＲ」という）から剥離させたカバーフィルムを巻き取る際に、巻取ボビンの軸方向に圧縮力をかけて、その直径を増大させた状態にしておいて巻取る。次に、カバーフィルムが完全に巻取られた後では、巻取ボビンに軸方向の引張力を加えることで、ボビンの直径を縮小させ、この巻取ボビンをカバーフィルムの巻芯から容易に取り外すことが出来る。
【００１９】
上記巻取ボビンに於いては、従来の軸方向に直線状に切り込みを入れたボビンと異なり、切り込み、つまり切断線が点でＤＦＲに接触するために、瞬間的なＤＦＲ張力の変動が発生しにくくなる特性を有している。
【００２０】
また、本発明による巻取ボビンは従来使用されている巻取ボビンにらせん状に切り込みを入れただけのものなので、従来使用されている巻取ボビンの装着軸がそのまま使用でき、また、重量の増加に関しても、本発明に係る巻取ボビンを使用するに当っての付帯する改造も全く必要ないため、安価に実施することが可能である等の特徴を有している。
【００２１】
【発明の実施の形態】
本発明に係るカバーフィルムの巻取ボビンは、基本的にその円筒表面にらせん状に切目線を設けることで、軸方向に若干の伸縮性が付与されており、従って巻取ボビンの軸方向に圧縮力をかけると巻取ボビンはらせん状の切断面ですべりを生じて直径を増し、逆に軸方向に引張力をかけると同じくらせん状の切断面で圧縮時とは逆方向のすべりを生じてその直径が縮小する構造を有している。
【００２２】
以下、本発明に係るカバーフィルムの巻取ボビンの好ましい実施例について図を用いて説明する。図１は本発明の巻取ボビンの使用状態を模式的に説明する斜視図である。図２は本発明の巻取ボビンを模式的に説明する正面図である。図３はＤＦＲの構成を説明する断面図である。
【００２３】
先ず、図３によりＤＦＲの構成について説明する。ＤＦＲ１は、支持フィルム１ａの片面に感光性樹脂組成物層１ｂが形成され、更に、感光性樹脂組成物層１ｂの表面がカバーフィルム１ｃによって覆われている。このＤＦＲ１は予め設定された幅を持ってエンドレス状に長尺に形成されている。支持フィルム１ａが内周側に、カバーフィルム１ｃが外周側になるように巻付ボビン６（図１、２も参照）に巻き付けられている。
【００２４】
そして図１に示すように感光性樹脂組成物層１ｂが基板２にラミネートされる際には、カバーフィルム１ｃを剥離させて感光性樹脂組成物層１ｂを露出させ、露出した感光性樹脂組成物層１ｂを基板２の表面に対向させて熱圧着させる。この状態では、支持フィルム１ａが感光性樹脂組成物１ｂを覆うことで保護することが可能である。
【００２５】
次に、図１、２により本発明の巻取ボビンを使用する好ましい巻取装置の例について説明する。一般に、基板２には感光性樹脂組成物層１ｂが表裏両面に同時にラミネートされる場合が多い。しかし、説明が煩雑になるため、以下の実施例に於ては、基板２の一方の面にＤＦＲ１の感光性樹脂組成物層１ｂがラミネートされる場合について説明する。
【００２６】
ＤＦＲ１を巻き付けた巻付ボビン６は、直接或いは巻付軸７に支持されて図示しないフレームに回転可能に取り付けられている。ＤＦＲ１は巻付コアの長手方向略中央に巻き付けられている。
【００２７】
ＤＦＲ１の繰出し方向の下流側にカバーフィルム１ｃの剥離ロール４、ガイドロール５が配置されており、カバーフィルム１ｃの剥離ロール４に於いて、ＤＦＲ１の感光性樹脂組成物層１ｂからカバーフィルム１ｃが剥離され、その後でＤＦＲ１はガイドロール５を経てラミネートローラー３に向かい、移送されてきた基板２に対向してその上表面に熱圧着され、これによりＤＦＲ１の感光性樹脂組成物層１ｂが基板２にラミネートされる。
【００２８】
一方で、カバーフィルム１ｃの剥離ロール４でＤＦＲ１から剥離されたカバーフィルム１ｃは、巻取ボビン８方向に移送されて、該巻取ボビンに徐々に巻き付けられて巻き取られる。この巻取ボビン８は巻取軸９に支持されて図示しないフレームに回転可能に軸着されている。さらに、その軸着される位置は、巻取ボビン８がＤＦＲ１の上表面に常に当接されるように、ＤＦＲ１が巻戻されて消費されるにともなって、その直径が変化しても常に接触するように上下に摺動可能な状態で取り付けられている。
【００２９】
前述の本発明に係る巻取ボビン８は、従来の巻取ボビン８と同様にプラスチック材によって円筒状に成形されている。その巻取ボビン８は６０〜１８０ｍｍの径を有し、かつ２５０〜１，５００ｍｍの長さを有し、さらに円筒の肉厚は２〜５ｍｍを有している。
【００３０】
また、前記巻取ボビン８の円筒表面には、１条のらせん状の切目線１０が内部の中空部に達する迄、軸方向に沿って深く穿設されている。この１条のらせん状の切目線１０は巻取ボビン８の円筒に対して０．５〜３回転の範囲で形成されている。
【００３１】
本発明者が長年に亘って実験した処によると、このように円筒に対して０．５〜３回転の範囲で１条のらせん状切目線１０を設けることが、巻取ボビン８の強度を損ねることがなく、かつ巻取ボビン８に圧縮或は引張りを与えた際に、巻取ボビン８の径を所望の径に膨張させたり、或は縮小させたりすることが出来ることを発明した。
【００３２】
前記巻取ボビン８の両端部には、巻取ボビン８を軸方向に引張ることを容易にするための穴１３が設けられている。本発明に係る巻取ボビン８は、前述のような構造と作用とを有するので、巻取ボビン８を軸の両端から圧縮した場合には、巻取ボビン８は図２に示す圧縮力を付与された巻取ボビン１２で例示する如く、径が大きくなり、その一方で、前記穴１３を利用して巻取ボビン８を軸方向に引張った場合には、図２に示す引張力を付与された巻取ボビン１１に例示する如く径が小さくなるように構成されている。
【００３３】
前記巻取ボビン８を巻取軸９に装着するに当っては、巻取ボビン８に軸方向の圧縮力が働いた状態で装着されており、これにより巻取ボビン８の直径は拡張した状態でカバーフィルム１ｃを巻取ることが出来るように構成されている。
【００３４】
次に、カバーフィルム１ｃが巻取ボビン８に完全に巻取られた後では、巻取ボビン８ごと装置から取り外し、巻取ボビン８の両端部に設けられた穴１３を利用して該巻取ボビン８に引張力を与えると、巻取ボビン８は前述の引張力を付与された巻取ボビン１１のように径が小さくなるので、ロール状に巻付けられたカバーフィルム１ｃの芯部から簡単に引き抜くことが出来る。従って、カバーフィルム１ｃの芯部から抜き取った巻取ボビン８は、そのまま再利用することが出来る。かつ、カバーフィルム１ｃはロール状に巻取ったまま嵩張らずに体裁良く廃棄することが出来る。
【００３５】
【発明の効果】
以上詳細に説明したように、本発明に係るカバーフィルムの巻取ボビンでは、ＤＦＲから剥離したカバーフィルムを巻き取る際に、該巻取ボビンには軸方向に圧縮力が付与されており、それによりボビンの直径が拡張した状態でカバーフィルムを巻き取ることが出来る。ＤＦＲが消費された後、カバーフィルムが巻き取られた巻取ボビンは巻取軸から取り外され、装着時に付与されていた軸方向の圧縮力が取り除かれると、または積極的に巻取ボビンに軸方向の引張力を加えることで巻取ボビンの直径を縮小させ、巻き取られたカバーフィルムを巻取ボビンから容易に除去することが出来る作用効果を有している。
【００３６】
本発明に係る巻取ボビンでは、切目線が外周面にらせん状に施されているため、常に切り込み線の一部がＤＦＲ表面に接触していることになる。このために、前述の従来のように直線状に切り込みが設けられた巻取ボビンと比較すると、巻取り時の瞬間的なＤＦＲの張力変動が発生しないので、オートカットラミネーターなど、真空吸引力によってＤＦＲを引き出すような装置においても比較的安定した張力のために、前述のような不具合が発生することを防止し得る効果を有している。
【００３７】
一般に使用されているＤＦＲラミネーターの巻取軸は、巻取ボビンを装着する際にある程度の軸方向の圧縮力をかけて固定する形式のものが多いため、本発明に係る巻取ボビンを、そのまま現在使用している巻取軸に装着して使用することが可能である。このように、本発明に係る巻取ボビンの使用により、簡単な機構で、巻取ボビンからカバーフィルムを簡単な作業で、しかも安全かつ安価に除去することが出来る等の多大な効果を有している。さらに、カバーフィルムから取り出した巻取ボビンは、そのままの状態で何回も再利用することが出来る効果も有している。
【図面の簡単な説明】
【図１】本発明の巻取ボビンの使用状態を模式的に説明する斜視図である。
【図２】本発明の巻取ボビンを模式的に説明する正面図である。
【図３】ＤＦＲの構成を説明する断面図である。
【符号の説明】
１      感光性ドライフィルムレジスト（ＤＦＲ）
１ａ    支持フィルム
１ｂ    感光性樹脂組成物層
１ｃ    カバーフィルム
２      基板
３      ラミネートロール
４      カバーフィルム剥離ロール
５      ガイドロール
６      巻付ボビン
７      巻付軸
８      巻取ボビン
９      巻取軸
１０    らせん状の切目線
１１    引張力を付与された巻取ボビン
１２    圧縮力を付与された巻取ボビン
１３    引張力の付与を容易にする穴
【図１】
2004277059.tif 000003
【図２】
2004277059.tif 000004
【図３】
2004277059.tif 000005